(57)【要約】【課題】回転繰り出し式の目当て環の小型化が可能であり、かつ目当て環が容易に外れないようにした光学観察装置を提供する。【解決手段】光学観察装置は、接眼光学系の外周に配置された支持部材１１Ｌに対して回転及び光軸方向移動が可能な目当て環１２を有する。支持部材と目当て環のうち第１の部材はカムフォロア部１３を有し、第２の部材はカム溝部１２ａと導入溝部１２ｄを有する。第１及び第２の部材のうち一方の部材は係合部１１ｂを有し、他方の部材は、係合部に係合して、カムフォロア部がカム溝部側から導入溝部側に戻る方向への目当て環の回転を阻止するストッパ１２ｂを有する。ストッパは、カムフォロア部が導入溝部に位置するときは係合部に係合可能な位置から弾性的に退避し、カムフォロア部がカム溝部の導入溝部側の端領域に位置するときに係合部に係合可能な位置に変位する。【選択図】図３
2010139728.tif 000002
【特許請求の範囲】
【請求項１】
接眼光学系を有する光学観察装置であって、
前記接眼光学系の外周に配置された支持部材と、
前記支持部材の外周に配置され、該支持部材に対して前記接眼光学系の光軸回りでの回転及び該接眼光学系の光軸方向での移動が可能である目当て環とを有し、
前記支持部材と前記目当て環のうち第１の部材は、カムフォロア部を有し、
前記支持部材と前記目当て環のうち第２の部材は、前記目当て環の回転に伴って前記カムフォロア部との係合により該目当て環を前記光軸方向に移動させるカム溝部と、前記目当て環の前記支持部材に対する組み付け時において前記目当て環の回転に伴って前記カムフォロア部を前記カム溝部に導入するための導入溝部とを有し、
前記第１の部材と前記第２の部材のうち一方の部材は、係合部を有し、
前記第１の部材と前記第２の部材のうち他方の部材は、前記係合部に係合して、前記カムフォロア部が前記カム溝部側から前記導入溝部側に戻る方向への前記目当て環の回転を阻止するストッパを有し、
前記ストッパは、前記他方の部材に一体に、かつ弾性的に変位可能に設けられており、前記カムフォロア部が前記導入溝部に位置する状態では該ストッパの変位可能方向において前記係合部に係合可能な位置から退避し、前記カムフォロア部が前記カム溝部における前記導入溝部側の端領域に位置するときに前記係合部に係合可能な位置に変位することを特徴とする光学観察装置。
【請求項２】
前記支持部材と前記目当て環のうち一方の部材は、凸部を有し、
前記支持部材と前記目当て環のうち他方の部材は、前記目当て環の回転に応じて前記凸部が係脱する複数の凹部を有することを特徴とする請求項１に記載の光学観察装置。
【請求項３】
前記導入溝部は、前記目当て環の第１の方向への回転に伴って、前記カムフォロア部が該導入溝部を前記カム溝部に向かって進むように形成され、
前記カム溝部は、前記目当て環の前記第１の方向とは反対の第２の方向への回転に伴って、前記カムフォロア部が該カム溝部を前記導入溝部側とは反対側の端部に向かって進むように形成されていることを特徴する請求項１又は２に記載の光学観察装置。
【発明の詳細な説明】
【技術分野】
【０００１】
本発明は、双眼鏡や単眼鏡等の接眼光学系を有する光学観察装置に関する。
【背景技術】
【０００２】
光学観察装置は、観察者の眼の位置を光学観察装置のアイポイントに合わせるために接眼用目当て環（アイカップ）を有する。観察者が裸眼の場合は、目当て環を接眼光学系に対して繰り出して観察者の眼の周囲の顔面に押し当てる。また、観察者が眼鏡使用者の場合は、目当て環を繰り込んで眼鏡に押し当てる。
【０００３】
例えば、双眼鏡の目当て環としては、接眼光学系に対して任意の位置に繰り出したり繰り込んだりすることができる繰り出し式の目当て環が用いられることがある。特に、カムを用いた回転繰り出し式の目当て環は、直進繰り出し式の目当て環に比べて任意の繰り出し位置での停止が容易である（特許文献１参照）。
【特許文献１】特開２００７−２３２７６４号公報
【発明の開示】
【発明が解決しようとする課題】
【０００４】
しかしながら、特許文献１にて開示された光学観察装置では、目当て環の内周面に設けられた非貫通のカム溝部に鏡筒に設けられた突起を導くために、目当て環の内周面に、目当て環の片方の開口部にて開口した導入溝部を設けている。このため、目当て環の組み付けは容易であるが、目当て環が鏡筒から外れ易い構成となっている。
【０００５】
なお、特許文献１には、目当て環が容易に外れないように、鏡筒を２部品（第１の鏡筒及び第２の鏡筒）に分割し、目当て環を第１の鏡筒に取り付け、該第１の鏡筒を第２の鏡筒に螺合させた構成が開示されている。このような構成では、目当て環が鏡筒に対して容易には外れ難くなるが、鏡筒が２部品により構成されることで部品点数が増え、かつ２つの鏡筒を結合させるための空間を必要とするため、その分、目当て環が径方向に大きくなる。
【０００６】
このように、従来の回転繰り出し式の目当て環は、構成が複雑になり易く、小型化が困難であった。
【０００７】
本発明は、従来よりも単純な構成を有し、かつ小型化が可能であり、さらに容易に外れないようにした回転繰り出し式の目当て環を有する光学観察装置を提供する。
【課題を解決するための手段】
【０００８】
本発明の一側面としての光学観察装置は、接眼光学系の外周に配置された支持部材と、支持部材の外周に配置され、該支持部材に対して接眼光学系の光軸回りでの回転及び該接眼光学系の光軸方向での移動が可能である目当て環とを有する。支持部材と目当て環のうち第１の部材は、カムフォロア部を有し、支持部材と目当て環のうち第２の部材は、目当て環の回転に伴ってカムフォロア部との係合により該目当て環を光軸方向に移動させるカム溝部と、目当て環の支持部材に対する組み付け時において目当て環の回転に伴ってカムフォロア部をカム溝部に導入するための導入溝部とを有する。第１の部材と第２の部材のうち一方の部材は、係合部を有し、第１の部材と第２の部材のうち他方の部材は、係合部に係合して、カムフォロア部がカム溝部側から導入溝部側に戻る方向への目当て環の回転を阻止するストッパを有する。ストッパは、該他方の部材に一体に、かつ弾性的に変位可能に設けられており、カムフォロア部が導入溝部に位置する状態では該ストッパの変位可能方向において該係合部に係合可能な位置から退避し、カムフォロア部がカム溝部における導入溝部側の端領域に位置するときに該係合部に係合可能な位置に変位することを特徴とする。
【発明の効果】
【０００９】
本発明は、第１の部材と第２の部材のうち一方の部材に一体に設けられ、弾性的に変位可能なストッパによって、目当て環の支持部材からの外れを阻止する構成を有する。このため、従来の回転繰り出し式の目当て環に比べて、簡単な構成で目当て環の外れを防止することができるとともに、部品点数や組立工程数を削減することができる。しかも、目当て環の径方向の大きさを小さくすることができる。
【発明を実施するための最良の形態】
【００１０】
以下、本発明の好ましい実施例について図面を参照しながら説明する。
【実施例１】
【００１１】
図１には、本発明の実施例１である光学観察装置としての双眼鏡を上面から見たときの断面図である。
【００１２】
図１において、双眼鏡は、左右の対物光学系１Ｌ，１Ｒを保持する対物ユニット６Ｌ，６Ｒと、該対物ユニット６Ｌ，６Ｒを収容する本体５と、該本体５の後方（観察者側）に配置された左右の接眼ユニット８Ｌ，８Ｒを有する。
【００１３】
接眼ユニット８Ｌ，８Ｒは、正立光学系のポロプリズム７Ｌ，７Ｒと、左右の接眼光学系３Ｌ，３Ｒとを収容及び保持している。
【００１４】
接眼ユニット８Ｌ，８Ｒはそれぞれ、左右の接眼光学系３Ｌ，３Ｒの光軸４Ｌ，４Ｒのうち入射側部分が、左右の対物光学系１Ｌ，１Ｒの光軸２Ｌ，２Ｒの射出側部分に一致するように本体５の後部に取り付けられている。
【００１５】
なお、ポロプリズム７Ｌ，７Ｒに代えて、ダハプリズム、平行四辺形プリズム、ミラー等により構成される他の正立光学系を用いてもよい。
【００１６】
左右の接眼ユニット８Ｌ，８Ｒの接眼側（観察者側）には、接眼光学系３Ｌ，３Ｒの光軸回りでの回転及び接眼光学系３Ｌ，３Ｒの光軸方向での移動が可能である目当て環１２が取り付けられている。目当て環１２の外周には、ゴム等の弾性部材からなる目当てゴム９が取り付けられている。
【００１７】
図２には、図１に示したＡ−Ａ線で切断したときの接眼ユニット８Ｌの一部の断面を示している。１０は接眼光学系３Ｌを保持する接眼鏡筒であり、１１Ｌは支持部材としての接眼固定枠である。接眼固定枠１１Ｌは、接眼鏡筒１０の外周（つまりは接眼光学系３Ｌの外周）に配置されており、接眼鏡筒１０をその内周にて保持している。目当て環１２は、接眼固定枠１１Ｌの外周に、接眼光学系３Ｌの光軸回りでの回転及び接眼光学系３Ｌの光軸方向での移動が可能に配置されている。目当て環１２は、双眼鏡のユーザによって回転操作される。
【００１８】
本実施例では、接眼固定枠１１Ｌが第１の部材に相当し、かつ第１の部材及び第２の部材のうち一方の部材に相当する。また、目当て環１２が第２の部材に相当し、かつ第１の部材及び第２の部材のうち他方の部材に相当する。
【００１９】
なお、図２及び後述する図３〜図９には、接眼ユニット８Ｌ側の構成を示しているが、この構成は接眼ユニット８Ｒ側でも同じである。
【００２０】
図３及び図９には、目当て環１２と接眼固定枠１１Ｌとを分解して示している。なお、これらの図では、目当てゴム９の図示を省略している。
【００２１】
また、図４、図５及び図６には、接眼固定枠１１Ｌ（点線で示す）と目当て環１２（実線で示す）とを周方向に展開し、これらを内周面側から見た図を示している。なお、図４は、目当て環１２の接眼固定枠１１Ｌに対する組み付け開始時を、図５は目当て環１２の組み付け途中を、図６は目当て環１２の組み付け完了時をそれぞれ示している。
【００２２】
さらに、図７及び図８には、接眼鏡筒１０、接眼固定枠１１Ｌ及び目当て環１２を観察者側から見て示している。
【００２３】
図２〜図９において、目当て環１２の周壁の内周面には、カム溝部１２ａと、目当て環１２の対物側の開口部にて開口し、後述するカムフォロア部をカム溝部１２ａに導入するための導入溝部１２ｄとが形成されている。カム溝部１２ａと導入溝部１２ｄのそれぞれの観察者側の端部は、目当て環１２の周方向に延びる連結溝部１２ｅによって連結されている。
【００２４】
また、目当て環１２の周壁におけるカム溝部１２ａとは異なる周方向位置には、該目当て環１２に一体に形成され、かつ目当て環１２（周壁）の径方向に弾性的に変位可能なストッパ１２ｂが設けられている。
【００２５】
一方、接眼固定枠１１Ｌの外周面には、目当て環１２のカム溝部１２ａに係合するカムフォロア部（突起部）１３が設けられている。目当て環１２の接眼固定枠１１Ｌに対する回転に伴い、該カムフォロア部１３とカム溝部１２ａとの係合によって目当て環１２が接眼固定枠１１Ｌに対して光軸方向に移動する。
【００２６】
図９に示すように、カムフォロア部１３は接眼固定枠１１Ｌに対して金属製の別部材として形成され、接眼固定枠１１Ｌに接着又は圧入によって取り付けられる。ただし、カムフォロア部１３を、接眼固定枠１１Ｌに一体に形成してもよい。
【００２７】
ここで、図４及び図５には、目当て環１２の接眼固定枠１１Ｌに対する組み付け時におけるカムフォロア部１３の導入溝部１２ｄに対する動きを示している。
【００２８】
導入溝部１２ｄは、目当て環１２の第１の方向（図４中の矢印方向）への回転に伴って、カムフォロア部１３が導入溝部１２ｄ内を連結溝部１２ｅ（つまりはカム溝部１２ａ）に向かって進むように形成されている。これにより、目当て環１２は、接眼固定枠１１Ｌに対して、図の上方である対物側に向かって移動する（繰り込まれる）。
【００２９】
図５に示すように、カムフォロア部１３が導入溝部１２ｄにおける連結溝部側の端部に到達した状態で、目当て環１２が第１の方向とは反対の第２の方向（図５中の矢印方向）に回転されると、カムフォロア部１３は連結溝部１２ｅ内をカム溝部１２ａに向かって進む。導入溝部１２ｄの連結溝部側の端部は、言い換えれば、導入溝部１２ｄと連結溝部１２ｅとの境界部である。
【００３０】
図６には、図５に示した状態から、カムフォロア部１３がカム溝部１２ａにおける連結溝部側（つまりは導入溝部側）の端部に到達した様子を示している。カム溝部１２ａにおける連結溝部側の端部は、言い替えれば、ガイド溝部１２ａと連結溝部１２ｅとの境界部である。この状態から、目当て環１２が第２の方向に回転されると、カムフォロア部１３は、カム溝部１２ａ内を連結溝部側の端部とは反対側の端部に向かって進む。これにより、目当て環１２は、接眼固定枠１１Ｌに対して、図の下方である観察者側に向かって移動する（繰り出される）。
【００３１】
なお、カムフォロア部１３がカム溝部１２ａにおける連結溝部側の端部とは反対側の端部にある状態において、目当て環１２が第１の方向に回転されると、カムフォロア部１３は、カム溝部１２ａ内を連結溝部側の端部に向かって進む。これにより、目当て環１２は、接眼固定枠１１Ｌに対して、対物側に向かって移動する（繰り込まれる）。
【００３２】
また、上述した導入溝部１２ｄ及びカム溝部１２ａの形状は例に過ぎず、本発明における導入溝部及びカム溝部の形状は他の形状であってもよい。
【００３３】
接眼固定枠１１Ｌの観察者側の端部には、目当て環１２のストッパ１２ｂが周方向において係合可能な係合部１１ｂが形成されている。ストッパ１２ｂは、カムフォロア部１３が導入溝部１２ｄ及び連結溝部１２ｅ内に位置する状態では、接眼固定枠１１Ｌの外周面によって目当て環１２の径方向外側に向かって押し出される。これにより、ストッパ１２ｂは、該ストッパ１２ｂの変位可能方向（目当て環１２の径方向）において係合部１１ｂに係合可能な位置から退避する。この様子を、図８に観察者側から見て示している。
【００３４】
また、ストッパ１２ｂは、図６に示すように、カムフォロア部１３がカム溝部１２ａにおける連結溝部側の端領域（導入溝部側の端領域）に位置するときに、接眼固定枠１１Ｌの係合部１１ｂに入り込む。すなわち、ストッパ１２ｂは、その変位可能方向において係合部１１ｂに係合可能な位置に変位する。この様子を、図７に観察者側から見て示している。これにより、ストッパ１２ｂは、係合部１１ｂに係合して、カムフォロア部１３がカム溝部側から連結溝部側に戻る方向への目当て環１２の回転を阻止する。
【００３５】
なお、ここにいう「カム溝部１２ａにおける連結溝部側の端領域（導入溝部側の端領域）」は、カム溝部１２ａにおける連結溝部側の端部（カム溝部１２ａと連結溝部１２ｅとの境界）だけでなく、その近傍の範囲を含む意味である。
【００３６】
例えば、カムフォロア部１３がカム溝部１２ａのうち連結溝部側の端部から少し対物側に進んだ領域で、ストッパ１２ｂが係合部１１ｂに係合可能な位置に変位する（係合部１１に係合する）ようにしてもよい。これにより、目当て環１２が接眼固定枠１１Ｌに対して観察者側に少し繰り出してからストッパ１２ｂが係合部１１ｂに係合するため、目当て環１２の組み付け時において該目当て環１２を回転させる方向を間違えることがより少なくなる。
【００３７】
このように、本実施例では、カムフォロア部１３が連結溝部１２ｅ内に入ったときから、目当て環１２を同じ方向に回転させるだけで、容易に目当て環１２を接眼固定枠１１Ｌに対して組み付けることができる。
【００３８】
図６に示す状態から目当て環１２を第２の方向に回転させると、ストッパ１２ｂは変位可能方向に係合部１１ｂと係合する位置のまま、目当て環１２を観察者側に移動させる（繰り出させる）ことができる。
【００３９】
また、図３〜図６に示すように、目当て環（一方の部材）１２の内周面には、周方向に位置が異なる複数のクリック凹部１２ｃが形成されている。一方、接眼固定枠（他方の部材）１１Ｌの外周面には、図３及び図９に示すように、接眼固定枠１１Ｌと一体に形成され、かつ該接眼固定枠１１Ｌの径方向に弾性的に変位可能なクリック凸部１１ｃが設けられている。
【００４０】
カムフォロア部１３がカム溝部１２ａ内に位置する状態で目当て環１２が接眼固定枠１１Ｌに対して回転操作されると、該接眼固定枠１１Ｌのクリック凸部１１ｃは、目当て環１２の回転に応じてこれらクリック凹部１２ｃに対して係脱する。クリック凸部１１ｃがクリック凹部１２ｃに係合することで、目当て環１２の回転操作にクリック感が生じるとともに、その回転位置（つまりは光軸方向位置）にて前記目当て環１２を停止させることができる。
【００４１】
なお、クリック凸部１１ｃは必ずしも弾性的に変位可能である必要はない。また、目当て環１２の内周面にクリック凸部を設け、接眼固定枠１１Ｌの外周面にクリック凹部を設けてもよい。
【００４２】
以上説明したように、本実施例では、目当て環１２に弾性的に変位可能なストッパ１２ｂを設け、カムフォロア部１３がカム溝部１２ａにおける連結溝部側の端領域に位置する状態でストッパ１２ｂが接眼固定枠１１Ｌの係合部に係合する。これにより、カムフォロア部１３が連結溝部側に戻る方向に回転することが阻止される。このような目当て環１２の構成は、従来の回転繰り出し式の目当て環に比べて、その回転角を制限したりカムフォロア部の連結溝部への戻りを阻止したりするために設けられていた専用部品の数を減らす。このため、双眼鏡の組立工程数も削減される。
【００４３】
また、本実施例では、ストッパ１２ｂ及び係合部１１ｂをそれぞれ目当て環１２及び接眼固定枠１１Ｌに一体に設けたため、目当て環１２の径方向のサイズを小さくすることができる。このため、低コストでコンパクトな双眼鏡を実現することができる。
【００４４】
さらに、本実施例では、接眼固定枠１１Ｌに取り付けられたカムフォロア部１３は金属製であることで、係合する目当て環１２の滑りを良くし、がたつきを低減している。ただし、カムフォロア部の材質はこの限りではない。また、カムフォロア部を接眼固定枠１１Ｌに一体に設けることで、低コストでコンパクトな双眼鏡を実現することも可能である。
【実施例２】
【００４５】
図１０には、本発明の実施例２である双眼鏡における接眼ユニットの目当て環と接眼固定枠とを分解して示している。本実施例の双眼鏡は、基本的には実施例１の双眼鏡と同様な構成を有するが、ストッパが接眼固定枠に設けられ、該ストッパが係合可能な係合部が目当て環に設けられている点で実施例１と異なる。本実施例において、実施例１と共通する機能を有する部分については、実施例１と同じ名称を付す。また、実施例１と同じ要素については実施例１と同じ符号を付している。
【００４６】
図１０において、接眼鏡筒２０を保持する接眼固定枠２１Ｌの外周に配置された目当て環２２の内周面には、カム溝部２２ａ、導入溝部２２ｄ及び連結溝部２２ｅが形成されている。また、目当て環２２の内周面におけるカム溝部２２ａと周方向にて異なる位置には、係合部２２ｂが形成されている。
【００４７】
また、接眼固定枠２１Ｌの外周面には、目当て環２２のカム溝部２２ａと係合するカムフォロア部２３が設けられている。
【００４８】
接眼固定枠２１Ｌには、該接眼固定枠２１Ｌの径方向において弾性的に変位可能なストッパ２１ｂが一体に設けられている。
【００４９】
ストッパ２１ｂは、カムフォロア部（突起部）２３が導入溝部２２ｄ及び連結溝部２２ｅ内に位置する状態では、目当て環２２の内周面によって接眼固定枠２１Ｌの径方向内側に向かって押し込まれる。これにより、ストッパ２１ｂは、該ストッパ２１ｂの変位可能方向（接眼固定枠２１Ｌの径方向）において係合部２２ｂに係合可能な位置から退避する。
【００５０】
また、カムフォロア部２３がカム溝部２２ａ内における連結溝部側の端領域にあるときに、ストッパ２１ｂは係合部２２ｂに係合可能な位置に変位する。これにより、ストッパ２１ｂは、係合部２２ｂに係合して、カムフォロア部２３がカム溝部側から連結溝部側に戻る方向への目当て環２２の回転を阻止する。
【００５１】
カムフォロア部２３がカム溝部２２ａ内を移動する際には、係合部２２ｂに係合可能な位置に変位したストッパ２１ｂは、目当て環２２の内周面において係合部２２ｂからカム溝部２２ａと同じ形状を有するように延びる逃げ溝部２２ｂ′内を進む。
【００５２】
本実施例では、接眼固定枠２１Ｌが第１の部材に相当し、かつ第１の部材及び第２の部材のうち他方の部材に相当する。また、目当て環２２が第２の部材に相当し、かつ第１の部材及び第２の部材のうち一方の部材に相当する。
【００５３】
その他、接眼固定枠２１Ｌには、これと一体に、かつ接眼固定枠２１Ｌの径方向に弾性的に変位可能なクリック凸部２１ｃが設けられている。また、目当て環２２の内周面には、クリック凸部２１ｃが目当て環２２の回転に応じて係脱可能な複数のクリック凹部２２ｃが形成されている。これらの機能は、実施例１にて説明したクリック凸部１１ｃ及びクリック凹部１２ｃと同様であるため、これらについての説明は省略する。
【００５４】
本実施例でも、実施例１と同様の効果を得ることができる。
【実施例３】
【００５５】
図１１には、本発明の実施例３である双眼鏡における接眼ユニットの目当て環と接眼鏡筒とを分解して示している。本実施例の双眼鏡は、基本的には実施例１の双眼鏡と同様な構成を有し、目当て環の構成も実施例１と共通するが、カムフォロア部と係合部とが接眼鏡筒（支持部材）に設けられている点で実施例１と異なる。本実施例では、実施例１にて用いられた接眼固定枠が設けられていない。本実施例において、実施例１と共通する機能を有する部分については、実施例１と同じ名称を付している。また、実施例１と同じ要素については実施例１と同じ符号を付している。
【００５６】
図１１において、接眼鏡筒３０の外周に配置された目当て環３２の内周面には、カム溝部３２ａ、導入溝部３２ｄ及び連結溝部３２ｅが形成されている。また、目当て環３２の内周面におけるカム溝部３２ａと周方向にて異なる位置には、目当て環３２の径方向において弾性的に変位可能なストッパ３２ｂが目当て環３２と一体に形成されている。
【００５７】
また、接眼鏡筒３０の外周面には、目当て環３２のカム溝部２２ａと係合するカムフォロア部３３が設けられている。また、接眼鏡筒３０には、ストッパ３２ｂが係合可能な係合部３０ｂが形成されている。
【００５８】
ストッパ３２ｂは、カムフォロア部３３が導入溝部３２ｄ及び連結溝部３２ｅ内に位置する状態では、接眼鏡筒３０の外周面によって目当て環３２の径方向外側に向かって押し出される。これにより、ストッパ３２ｂは、該ストッパ３２ｂの変位可能方向（目当て環３２の径方向）において係合部３０ｂに係合可能な位置から退避する。
【００５９】
また、カムフォロア部３３がカム溝部３２ａ内における連結溝部側の端領域にあるときに、ストッパ３２ｂは係合部３０ｂに係合可能な位置に変位する。これにより、ストッパ３２ｂは、係合部３０ｂに係合して、カムフォロア部３３がカム溝部側から連結溝部側に戻る方向への目当て環３２の回転を阻止する。
【００６０】
本実施例では、接眼鏡筒３０が第１の部材に相当し、かつ第１の部材及び第２の部材のうち一方の部材に相当する。また、目当て環３２が第２の部材に相当し、かつ第１の部材及び第２の部材のうち他方の部材に相当する。
【００６１】
その他、接眼鏡筒３０には、これと一体に、かつ接眼鏡筒３０の径方向に弾性的に変位可能なクリック凸部３０ｃが設けられている。また、目当て環３２の内周面には、クリック凸部３０ｃが目当て環３２の回転に応じて係脱可能な複数のクリック凹部３２ｃが形成されている。これらの機能は、実施例１にて説明したクリック凸部１１ｃ及びクリック凹部１２ｃと同様であるため、これらについての説明は省略する。
【００６２】
本実施例でも、実施例１と同様の効果を得ることができる。
【実施例４】
【００６３】
図１２は、本発明の実施例４である双眼鏡における接眼ユニットの目当て環と接眼鏡筒とを分解して示している。本実施例の双眼鏡は、基本的には実施例１の双眼鏡と同様な構成を有し、目当て環の構成は実施例２と共通するが、カムフォロア部とストッパが接眼鏡筒（支持部材）に設けられている点で実施例２と異なる。本実施例では、実施例１にて用いられた接眼固定枠が設けられていない。本実施例において、実施例１及び２と共通する機能を有する部分については、これら実施例と同じ名称を付している。また、実施例１と同じ要素については実施例１と同じ符号を付している。
【００６４】
図１２において、接眼鏡筒４０の外周に配置された目当て環４２の内周面には、カム溝部４２ａ、導入溝部４２ｄ及び連結溝部（導入溝部の一部）４２ｅが形成されている。また、目当て環４２の内周面におけるカム溝部４２ａと周方向にて異なる位置には、係合部４２ｂが形成されている。
【００６５】
また、接眼鏡筒４０の外周面には、目当て環４２のカム溝部４２ａと係合するカムフォロア部４３が設けられている。
【００６６】
接眼鏡筒４０には、該接眼鏡筒４０の径方向において弾性的に変位可能なストッパ４０ｂが一体に設けられている。
【００６７】
ストッパ４０ｂは、カムフォロア部４３が導入溝部４２ｄ及び連結溝部４２ｅ内に位置する状態では、目当て環４２の内周面によって接眼鏡筒４０の径方向内側に向かって押し込まれる。これにより、ストッパ４０ｂは、該ストッパ４０ｂの変位可能方向（接眼鏡筒４０の径方向）において係合部４２ｂに係合可能な位置から退避する。
【００６８】
また、カムフォロア部４３がカム溝部４２ａ内における連結溝部側の端領域にあるときに、ストッパ４０ｂは係合部４２ｂに係合可能な位置に変位する。これにより、ストッパ４０ｂは、係合部４２ｂに係合して、カムフォロア部４３がカム溝部側から連結溝部側に戻る方向への目当て環４２の回転を阻止する。
【００６９】
カムフォロア部４３がカム溝部４２ａ内を移動する際には、係合部４２ｂに係合可能な位置に変位したストッパ４０ｂは、目当て環４２の内周面において係合部４２ｂからカム溝部４２ａと同じ形状を有するように延びる逃げ溝部４２ｂ′内を進む。
【００７０】
本実施例では、接眼鏡筒４０が第１の部材に相当し、かつ第１の部材及び第２の部材のうち他方の部材に相当する。また、目当て環４２が第２の部材に相当し、かつ第１の部材及び第２の部材のうち一方の部材に相当する。
【００７１】
その他、接眼鏡筒４０には、これと一体に、かつ接眼鏡筒４０の径方向に弾性的に変位可能なクリック凸部４０ｃが設けられている。また、目当て環４２の内周面には、クリック凸部４０ｃが目当て環４２の回転に応じて係脱可能な複数のクリック凹部４２ｃが形成されている。これらの機能は、実施例１にて説明したクリック凸部１１ｃ及びクリック凹部１２ｃと同様であるため、これらについての説明は省略する。
【００７２】
本実施例でも、実施例１と同様の効果を得ることができる。
【００７３】
以上説明した各実施例は代表的な例にすぎず、本発明の実施に際しては、各実施例に対して種々の変形や変更が可能である。
【００７４】
例えば、上記各実施例では、目当て環にカム溝部や導入溝部を形成し、支持部材としての接眼固定枠又は接眼鏡筒にカムフォロア部を設けた場合について説明した。しかし、支持部材（第２の部材）にカム溝部や導入溝部を形成し、目当て環（第１の部材）にカムフォロア部を設けてもよい。
【００７５】
また、上記各実施例では、双眼鏡について説明したが、本発明は、望遠鏡や単眼鏡等の他の光学観察装置にも適用することができる。
【図面の簡単な説明】
【００７６】
【図１】本発明の実施例１である双眼鏡の上面断面図。
【図２】図１のＡ−Ａ断面図。
【図３】実施例１の双眼鏡の一部の分解斜視図。
【図４】実施例１における目当て環と接眼固定枠の展開図（目当て環の組み付け開始時）。
【図５】実施例１における目当て環と接眼固定枠の展開図（目当て環の組み付け途中）。
【図６】実施例１における目当て環と接眼固定枠の展開図（目当て環の組み付け完了時）。
【図７】実施例１における目当て環、接眼固定枠及び接眼鏡筒の背面図（ストッパ係合時）。
【図８】実施例１における目当て環、接眼固定枠及び接眼鏡筒の背面図（ストッパ退避時）。
【図９】実施例１の双眼鏡の一部の分解斜視図。
【図１０】本発明の実施例２である双眼鏡の一部の分解斜視図。
【図１１】本発明の実施例３である双眼鏡の一部の分解斜視図。
【図１２】本発明の実施例４である双眼鏡の一部の分解斜視図。
【符号の説明】
【００７７】
１Ｌ，１Ｒ  対物光学系
２Ｌ，２Ｒ  対物光学系の光軸
３Ｌ，３Ｒ  接眼光学系
５  本体
６Ｌ，６Ｒ  対物ユニット
７Ｌ，７Ｒ  プリズム
８Ｌ，８Ｒ  接眼ユニット
９  目当てゴム
１０，２０，３０，４０  接眼鏡筒
１１Ｌ，１１Ｒ，２１Ｌ  接眼固定枠
１１ｂ，２２ｂ，３０ｂ，４２ｂ  係合部
１１ｃ，２１ｃ，３０ｃ，４０ｃ  クリック凸部
１２，２２，３２，４２  目当て環
１２ａ，２２ａ，３２ａ，４２ａ  カム溝部
１２ｂ，２１ｂ，３２ｂ，４０ｂ  ストッパ
１２ｃ，２２ｃ，３２ｃ，４２ｃ  クリック凹部
１２ｄ，２２ｄ，３２ｄ，４２ｄ  導入溝部
１２ｅ，２２ｅ，３２ｅ，４２ｅ  連結溝部
１３，２３，３３，４３  カムフォロア部
【図１】
2010139728.tif 000003
【図２】
2010139728.tif 000004
【図３】
2010139728.tif 000005
【図４】
2010139728.tif 000006
【図５】
2010139728.tif 000007
【図６】
2010139728.tif 000008
【図７】
2010139728.tif 000009
【図８】
2010139728.tif 000010
【図９】
2010139728.tif 000011
【図１０】
2010139728.tif 000012
【図１１】
2010139728.tif 000013
【図１２】
2010139728.tif 000014